(57)【要約】  【課題】  組立及び交換に便利な水絞りモップの清掃具を提供する。  【解決手段】  拭き部１４と固定部１６とを備えた棉体１２と、該棉体１２ａの固定部１６上に設け、その中段箇所に二つの上向きに延びた固定部分１５を設けて、二つの固定部分１５上にそれぞれ孔１７を設けている基板１１ａと、固定部分１５と連接棒６の下端をとめ合わせる弾性とめ金部材７は、その断面が略十字形を呈し、その両側にそれぞれ内突起７５と外突起７３が設けられ、前記の外突起７３がそれぞれ二つの固定部分１５の孔１７に貫通している二つのとめ金と、両端がそれぞれ二つのとめ金７１の内突起７５に巻装されたスプリング７２を含み、そして外突起７３の押圧で清掃具を組立又は取り外しができることを包括する水絞りモップの清掃具。【選択図】図４
0003123659.tif 000002
【実用新案登録請求の範囲】
【請求項１】
水絞りモップの連接棒下端ととめ合わせる水絞りモップの清掃具において、
拭き部及び固定部を有する棉体と、
前記棉体の固定部上に設けられ、その中段箇所に二個の上向きに延びる固定部分を設け、且つ、該固定部分にはそれぞれ一つの孔を設けている基板と、
固定部分と連接棒下端をとめ合わせる弾性とめ合わせ部材は、
その断面が略十字形を呈し、その両側にそれぞれ内突起と外突起を設けて、前記の外突起がそれぞれ前記固定部分の孔を穿設した二個のとめ金と、
それぞれ両端が二個のとめ金の内突起に巻装したスプリングとから成ることを特徴とする水絞りモップの清掃具。
【請求項２】
前記基板が断面略Ｕ字形の長片を呈し、金属材質から製作され、その両側の下方に鋸歯形状下縁が設けられていることを特徴とする請求項１記載の水絞りモップの清掃具。
【請求項３】
前記基板が断面略Ｕ字形の長片を呈し、ネジで前記棉体の固定部上に締付け固定したことを特徴とする請求項１記載の水絞りモップの清掃具。
【請求項４】
前記二つの固定部分は接続部分上に設けられ、前記接続部分はネジで基板上に締付け固定したことを特徴とする請求項１記載の水絞りモップの清掃具。
【請求項５】
前記接続部分は前記基板と一体成形したことを特徴とする請求項４記載の水絞りモップの清掃具。
【請求項６】
前記弾性とめ合わせ部材は前記二つの固定部分の間に設けられ、前記連接棒下端を外にとめ合わせたことを特徴とする請求項１記載の水絞りモップの清掃具。
【請求項７】
前記弾性とめ合わせ部材は連接棒下端に設けられ、且つ、前記二つの固定部分は外側にとめ合わせたことを特徴とする請求項１記載の水絞りモップの清掃具。
【考案の詳細な説明】
【技術分野】
【０００１】
本考案は水絞りモップの清掃具に関するものであり、特に、モップの前端に設けて拭く動作を可能にしたものであり、且つ、組立・交換が容易である水絞りモップの清掃具に関するものである。
【背景技術】
【０００２】
従来の此種水絞りモップの清掃具を図８〜図１０に従って説明する。図において従来の水絞りモップは、基板１１及びその下に設けた棉体１２とから成り、床を拭くのに用いる清掃素子１と、該清掃素子１の上方に跨設し、略Ｕ字形の中空体を有し、その頂部に貫通孔２１を設け、及び、両側に各開口２２を設けてその下端前後側に各左右の棒アーム２３，２４を設けている。該左右棒アーム２３，２４上に各貫通孔２５，２６を設け、その間に開口２７を形成したチャック２と、チャック２の頂部の貫通孔２１内に固設することで、手部の握持に供することができる握棒３と、その上端が握棒３の中段箇所に枢設され、その末端にハンドル４１を設けて引き動かし状に形成したＵ字形棒４と、対称的に握棒３の両側に設け、その上端がＵ字形棒４の上段に枢設し、その下端はチャック２の左右開口２２を貫通して清掃素子１の基板１１上に固設することで、Ｕ字形棒４の引き動かしを受けて清掃素子１の上向移動を誘動する二つの連接棒５と、それぞれ対称的にチャック２前後側の左右棒アーム２３，２４の貫通孔に固設された二つの棒体５６と、それぞれ対称的に左右棒アーム２３，２４間の棒体５６上に設けて所定の隙間を形成し、棉体１２がその隙間内に進入した時に転動することで、棉体１２を押圧する数個の水絞り部分５７とを包括する。
【０００３】
そこで、棉体１２が押圧され、水分を絞るときには片手で握棒３を握り、別の手でＵ字形棒４のハンドル４１を上に向けて引き動かし、そして、連接棒５が基板１１を引き動かして棉体１２の上向き移動を誘動する。このとき、棉体１２が水絞り部分５７の隙間を通過した時、その隙間が固定したものにより、且つ、棉体１２の厚さが前記の隙間より大きいため、棉体１２は水絞り部分５７の押圧を受けて棉体１２内の水分が押圧されて絞られることになる。押圧終了後に、連接棒が元の位置に回復し、更に、棉体１２も元の位置まで回復する。Ｕ字形棒４の押し引き動作を反復利用することで棉体１２の水絞り動作が完成できる。
【０００４】
図８〜１０に示すように、従来用いる清掃具は柔軟で強い性質の吸水材料から作られ、略長片を呈し、一つの拭き部１２１と一つの前記拭き部の上方に設けた固定部の棉体１２と、その両側の下縁に鋸歯状下縁１１１を設けて、棉体１２の固定部１２２上に固設できる一つの断面がＵ字形を呈した基板１１と、ネジにより二つの連接棒５に固設できて、その頂部に設けた複数の孔１１２とを有して構成されて成る。而して、従来の前記水絞りモップの清掃具は下記の欠点を有する。
【０００５】
１．組立てが不便：それぞれ清掃素子の両側を二つの連接棒５上に固定する必要があり、相当な時間を費やす。
【０００６】
２．交換が不便：清掃具の交換が必要の時、特殊工具で取り外す必要があり、極めて不便であり、且つ、常に連接棒、ネジ及び基板のさび腐蝕問題に直面し、而も交換が困難であり経済的損失が多大である。
【０００７】
考案者は従来用いる清掃具の上記欠陥に鑑み、苦慮し詳しく捜し求め、積極的な研究と多年に及ぶ生産品研究の経験に加え、並びに不断なる試験及び改良を経て、ついに本考案を開発したものである。
【考案の開示】
【考案が解決しようとする課題】
【０００８】
上記従来例は何れも実用的ではあるが、部品の組立及び交換作業が困難であった。
【０００９】
そこで、部品の組立及び交換作業を容易にするため解決すべき技術的課題が生じてくるのであり、本考案はこの課題を解決することを目的とする。
【課題を解決するための手段】
【００１０】
本考案は上記目的を達成するために提案されたものであり、請求項１記載の考案は、水絞りモップの連接棒下端ととめ合わせる水絞りモップの清掃具において、拭き部及び固定部を有する棉体と、前記棉体の固定部上に設けられ、その中段箇所に二個の上向きに延びる固定部分を設け、且つ、該固定部分にはそれぞれ一つの孔を設けている基板と、固定部分と連接棒下端をとめ合わせる弾性とめ合わせ部材は、その断面が略十字形を呈し、その両側にそれぞれ内突起と外突起を設けて、前記の外突起がそれぞれ前記固定部分の孔を穿設した二個のとめ金と、それぞれ両端が二個のとめ金の内突起に巻装したスプリングとから成ることを特徴とする水絞りモップの清掃具を提供する。
【００１１】
請求項２記載の発明は前記基板が断面略Ｕ字形の長片を呈し、金属材質から製作され、その両側の下方に鋸歯形状下縁が設けられていることを特徴とする請求項１記載の水絞りモップの清掃具を提供する。
【００１２】
請求項３記載の発明は前記基板が断面略Ｕ字形の長片を呈し、ネジで前記棉体の固定部上に締付け固定したことを特徴とする請求項１記載の水絞りモップの清掃具を提供する。      
【００１３】
請求項４記載の発明は前記二つの固定部分は接続部分上に設けられ、前記接続部分はネジで基板上に締付け固定したことを特徴とする請求項１記載の水絞りモップの清掃具を提供する。
【００１４】
請求項５記載の発明は前記接続部分は前記基板と一体成形したことを特徴とする請求項４記載の水絞りモップの清掃具を提供する。
【００１５】
請求項６記載の発明は前記弾性とめ合わせ部材は前記二つの固定部分の間に設けられ、前記連接棒下端を外にとめ合わせたことを特徴とする請求項１記載の水絞りモップの清掃具を提供する。
【００１６】
請求項７記載の発明は前記弾性とめ合わせ部材は連接棒下端に設けられ、且つ、前記二つの固定部分は外側にとめ合わせたことを特徴とする請求項１記載の水絞りモップの清掃具を提供するものである。
【考案の効果】
【００１７】
本考案は上記構成に係るから水絞りモップの清掃具の部品の組立及び交換作業が容易となり、コストダウンにも寄与することができる。
【考案を実施するための最良の形態】
【００１８】
本考案は組立及び交換に便利な水絞りモップの清掃具を提供すると云う目的を、水絞りモップの連接棒下端ととめ合わせる水絞りモップの清掃具において、拭き部及び固定部を有する棉体と、前記棉体の固定部上に設けられ、その中段箇所に二個の上向きに延びる固定部分を設け、且つ、該固定部分にはそれぞれ一つの孔を設けている基板と、固定部分と連接棒下端をとめ合わせる弾性とめ合わせ部材は、その断面が略十字形を呈し、その両側にそれぞれ内突起と外突起を設けて、前記の外突起がそれぞれ前記固定部分の孔を穿設した二個のとめ金と、それぞれ両端が二個のとめ金の内突起に巻装したスプリングとから成ることを特徴とする水絞りモップの清掃具を提供することによって達成した。
【実施例】
【００１９】
以下、本考案の好適な実施例を図１乃至図４に従って詳述する。図において、本考案の水絞りモップの清掃具は図８〜図１０に示す従来例と略同一の構成を有する。相異する箇所は握棒３ａの下段に一つの長形孔３１を設けること、Ｕ字形棒４ａの上段箇所に枢設した連接棒５ａと、該連接棒５ａの下段に他の連接棒６を枢設し該連接棒６の下端に清掃素子１ａを固設していることである。
【００２０】
清掃素子１ａの水絞り原理は従来例の清掃素子１と同じである。二者の棉体１２，１２ａ（図１及び８に示す）部分も同じである。二つの異なる箇所は本考案の基板１１ａ上に特殊設計の弾性とめ金部材７を設けて、組合せ及び交換を容易にしてある。
【００２１】
図１〜４に示す第一実施例は、前記清掃素子１ａが拭き部１４及び固定部１６を備えた棉体１２ａと、断面が略Ｕ字形の長片を呈し、且つ、金属材料から成り、その両側の下端に鋸歯状の下縁１３を設けて、棉体１２ａの固定部１６上に固設することができるように構成され、又、その中段箇所に二つの上向きに突設された固定部分１５を設け、前記連接棒６下端の内に貫通して設けることができ、並びに前記連接棒６の下端の対応する箇所において相通ずる孔１７，６１を有する基板１１ａと、該基板１１ａの前記固定部分１５間にとめ合わされ、その内に断面が略十字形を呈し、その両側にそれぞれ外突起７３と内突起７５を設けてそれぞれ二つの固定部分１５の孔１７に貫設し、並びに二つの固定部分１５の外に突出する弾性とめ金部材７と、両端がそれぞれ二つのとめ金７１の内突起７５に巻装され、その弾力作用により二つのとめ金７１の外突起７３を固定部分１５と連接棒６の下端にとめ合わされたスプリング７２とを有している。
【００２２】
組立ての時に外突起７３を押圧し、それを内向きに収縮並びに連接棒６の孔６１に到達させて固定できるように構成されている。又、取り外す時には外突起７３を押圧するだけでそれを縮少させて清掃素子１ａを取り出すことができる。
【００２３】
この外、清掃素子１ａの基板１１ａは握棒３ａ内に内装した連接棒５ａ，６と連設しているため、機構が簡単であり簡潔な外観に形成し、且つ、清掃素子１ａの組立及び交換に便利である。
【００２４】
図５は第二実施例を示す。同図において前記基板１１ｂが断面略Ｕ字形を呈する長片、ネジ１１３に合わせて棉体１２ａの固定部１６上に締付固定することができる。
【００２５】
図６は第三実施例を示す。同図において前記の二つの固定部分１５ａが接続部分１８上に設けられ、前記接続部分１８はネジ１９にて基板１１ａ上に固設され、又は基板１１ａと一体成形することもできる。
【００２６】
図７は第四実施例を示す。この実施例は第一実施例と原理は同じであり、その相異する箇所は前記弾性とめ金部材７が連接棒６下端の間に設けたことにある。前記とめ金７１の外突起７３は連接棒６下端の外に突出し、而も前記の固定部分１５ｂを外にとめ合わせられている。
【００２７】
尚、本考案は、本考案の精神を逸脱しない限り種々の改変を為すことができ、そして、本考案が該改変されたものに及ぶことは当然である。
【図面の簡単な説明】
【００２８】
【図１】本考案の水絞りモップの清掃具を配設した正面図。
【図２】図１の側面図。
【図３】図１の実施例で水絞り時の側面図。
【図４】本考案第一実施例の分解図。
【図５】本考案第二実施例の分解図。
【図６】本考案第三実施例の局部拡大前面図。
【図７】本考案第四実施例の局部拡大前面図。
【図８】従来使用のモップ正面図。
【図９】従来使用のモップ正面図。
【図１０】従来使用の清掃具分解図。
【符号の説明】
【００２９】
１，１ａ        清掃素子
２              チャック
３，３ａ        握棒
４，４ａ        Ｕ字形棒
５，５ａ，６    連接棒
７              弾性とめ金部材
１１，１１ａ，１１ｂ  基板
１２，１２ａ      棉体
１３，１１１      鋸歯状下縁
１５，１５ａ，１５ｂ  固定部分
１８              接続部分
２１，２５，２６  貫通孔
２２，２７        開口
２３              左棒アーム
２４              右棒アーム
３１              長形孔
４１              ハンドル
５６              棒体
５７              水絞り部分
６１              孔
７１              とめ金
７２              スプリング
７３              外突起
７５              内突起
１１２，１７        孔
１１３，１９        ネジ
１２１，１４        拭き部
１２２，１６        固定部
【図１】
0003123659.tif 000003
【図２】
0003123659.tif 000004
【図３】
0003123659.tif 000005
【図４】
0003123659.tif 000006
【図５】
0003123659.tif 000007
【図６】
0003123659.tif 000008
【図７】
0003123659.tif 000009
【図８】
0003123659.tif 000010
【図９】
0003123659.tif 000011
【図１０】
0003123659.tif 000012